(57)【特許請求の範囲】
【請求項１】
固定接点(11)と可動接点(13)とを備えたスイッチ装置において、
上記可動接点(13)は磁石により構成されるか又は磁石を有し、枢支部材(12)に装着されており、当該枢支部材(12)を中心として揺動または回動自在に設けてあり、
上記可動接点(13)は、スイッチ開放位置では磁力による引き合う力又は斥け合う力の作用により固定接点(11)から離れる方向に位置して固定状態にあり、磁石により構成されるか又は磁石を有する接点操作体(2)が接近すると磁力によって固定状態から解放されて固定接点(11)側に揺動または回動して固定接点(11)と接触し、固定接点(11)と可動接点(13)を電気的に接続するものであり、
上記可動接点(13)は、自重で回動できるべくＮ極およびＳ極側寄りに上記枢支部材(12)に装着する装着部(130,131)をそれぞれ有し、装着された上記枢支部材(12)を中心として揺動または回動自在に設けてある、
スイッチ装置。
【請求項２】
装架体(10)に固定接点(11)と可動接点(13)とを備えたスイッチ装置において、
上記可動接点(13)は磁石により構成されるか又は磁石を有し、装架体(10)側壁(101,102)間に設けられている枢支部材(12)に装着され、当該枢支部材(12)を中心として揺動または回動自在に設けてあり、
上記固定接点(11)は、装架体(10)側壁(101,102)間に設けてあり、
上記可動接点(13)は、装架体(10)に設けてある磁性体(15)又は装架体(10)自体の磁性作用と協働してスイッチ開放位置では磁力による引き合う力又は斥け合う力の作用により固定接点(11)から離れる方向に位置して固定状態にあり、磁石により構成されるか又は磁石を有する接点操作体(2)が接近すると磁力によって固定状態から解放されて固定接点(11)側に揺動または回動して接触し、固定接点(11)と可動接点(13)を電気的に接続するものであり、
上記可動接点(13)は、自重で回動できるべくＮ極およびＳ極側寄りに上記枢支部材(12)に装着する装着部(130,131)をそれぞれ有し、装着された上記枢支部材(12)を中心として揺動または回動自在に設けてある、
スイッチ装置。
【請求項３】
愛玩動物用扉装置であって、
扉部材(7)と、
請求項１または２記載のスイッチ装置と、
接点操作体(2)と、
上記スイッチ装置の固定接点(11)と可動接点(13)が電気的に接続したときに上記扉部材(7)を所要の時間通過可能にする通過制御手段と、
を含む、
愛玩動物用扉装置。
【請求項４】
愛玩動物用扉装置であって、
扉部材(7)と、
請求項１または２記載のスイッチ装置と、
上記スイッチ装置の固定接点(11)と可動接点(13)が電気的に接続したときに上記扉部材(7)を所要の時間通過可能にする通過制御手段と、
を含む、
愛玩動物用扉装置。
【発明の詳細な説明】
【技術分野】
【０００１】
本発明はスイッチ装置及びそれを使用した愛玩動物用扉装置に関する。更に詳しくは、誤動作が起こり難く、高い信頼性を備えるものに関する。
【背景技術】
【０００２】
猫を飼っている家では、ペットとしての猫だけが自由に屋内外へ出入りできるように、屋外と屋内を区切る壁や建具等にペットである猫専用の扉装置を設けることがある。このようなペット用の扉装置は、特定のペットが屋外から屋内へ入る際に扉装置の前にくるとセンサが感知して、扉を開状態にするものが一般的である。例えば、特許文献１に開示されたものが知られている。
【０００３】
特許文献１の扉装置は、特定のペットを感知するセンサとして図５に示すスイッチ装置が使用されている。このスイッチ装置は磁力を利用したものである。
【０００４】
上記のスイッチ装置は、固定接点と、上下方向に揺動する可動接点と、ペットの首輪等に取り付けられる作動体を備えており、ペットに取り付けた作動体が接近することによって、可動接点が磁力によって上方向に揺動し、可動接点と固定接点が接触する構造を有している。
【０００５】
このスイッチ装置を備えた扉装置は、常態で可動部材の一端側を重力によって下降させ、固定接点と可動接点が離れた状態を維持するよう設置される。
【０００６】
【特許文献１】特開２０００−３６５３号公報
【発明の開示】
【発明が解決しようとする課題】
【０００７】
しかし、特許文献１に開示された愛玩動物用扉装置には、次のような課題がある。
特許文献１の扉装置は、スイッチ装置を構成する可動接点が揺動可能な状態で設けてあるので、例えば装置がやや斜めに傾いた状態で設置された場合では、固定接点と可動接点が適正な位置よりも近づいた状態で設置されてしまうことがある。このように設置されたスイッチ装置は、振動等が加わることによって可動接点が誤って動き、固定接点と接触してしまい扉を開状態にすることがある。即ち、特許文献１の扉装置が備えるスイッチ装置は、設置状態が悪いと誤動作を起こし易く、信頼性が低い。
【０００８】
本発明の目的は、誤動作が起こり難く、高い信頼性を備えるスイッチ装置及びそれを使用した愛玩動物用扉装置を提供することにある。
【課題を解決するための手段】
【０００９】
上記目的を達成するために本発明が講じた手段は次のとおりである。
本発明は、固定接点と可動接点とを備えたスイッチ装置において、上記可動接点は磁石により構成されるか又は磁石を有し、枢支部材に装着されており、当該枢支部材を中心として揺動または回動自在に設けてあり、上記可動接点はスイッチ開放位置では磁力による引き合う力又は斥け合う力の作用により固定接点から離れる方向に位置して固定状態にあり、磁石により構成されるか又は磁石を有する接点操作体が接近すると磁力によって固定状態から解放されて固定接点側に揺動または回動して固定接点と接触し、固定接点と可動接点を電気的に接続するものであり、上記可動接点は、自重で回動できるべくＮ極およびＳ極側寄りに上記枢支部材に装着する装着部をそれぞれ有し、装着された上記枢支部材を中心として揺動または回動自在に設けてある、スイッチ装置である。
【００１０】
本発明は、装架体に固定接点と可動接点とを備えたスイッチ装置において、
上記可動接点は磁石により構成されるか又は磁石を有し、装架体側壁間に設けられている枢支部材に装着され、当該枢支部材を中心として揺動または回動自在に設けてあり、上記固定接点は、装架体側壁間に設けてあり、上記可動接点は、装架体に設けてある磁性体又は装架体自体の磁性作用と協働してスイッチ開放位置では磁力による引き合う力又は斥け合う力の作用により固定接点から離れる方向に位置して固定状態にあり、磁石により構成されるか又は磁石を有する接点操作体が接近すると磁力によって固定状態から解放されて固定接点側に揺動または回動して接触し、固定接点と可動接点を電気的に接続するものであり、上記可動接点は、自重で回動できるべくＮ極およびＳ極側寄りに上記枢支部材に装着する装着部をそれぞれ有し、装着された上記枢支部材を中心として揺動または回動自在に設けてある、スイッチ装置である。
【００１２】
本発明は、愛玩動物用扉装置であって、扉部材と、上記スイッチ装置と、接点操作体と、上記スイッチ装置の固定接点と可動接点が電気的に接続したときに上記扉部材を所要の時間通過可能にする通過制御手段とを含む愛玩動物用扉装置である。
【００１３】
本発明は、愛玩動物用扉装置であって、扉部材と、上記スイッチ装置と、スイッチ装置の固定接点と可動接点が電気的に接続したときに上記扉部材を所要の時間通過可能にする通過制御手段とを含む愛玩動物用扉装置である。
【００１４】
なお、特許請求の範囲及び次の作用の欄では、本発明の各構成要件のそれぞれに、後述する実施の形態において各部に付与した符号を対応させて付与して説明している。しかし、この符号の付与はあくまで説明の理解を容易にするためであって、各構成要件の上記各部への限定を意味するものではない。
【００１５】
（作  用）
本発明の作用を説明する。
常態でスイッチ装置の可動接点(13)は、スイッチ開放位置で磁力による引き合う力又は斥け合う力の作用により固定接点(11)から離れる方向に位置して固定状態にある。このときスイッチ装置は開放または開路状態（ＯＦＦ状態）にある。
【００１６】
開放または開路状態のスイッチ装置に接点操作体(2)が接近すると、磁力によって固定状態から解放または解除されて固定接点(11)側に揺動または回動して固定接点(11)と接触する。これにより固定接点(11)と可動接点(13)は電気的に繋がった接続または閉路状態（ＯＮ状態）になる。
【００１７】
可動接点(13)が自重で回動できるべくＮ極およびＳ極側寄りに枢支部材(12)に装着する装着部(130,131)をそれぞれ有するものは、枢支部材(12)を設ける装着部(130,131)を変えることによって磁性部(15)と引き合う磁極を入れ替えることができる。
【００１８】
愛玩動物用扉装置は、接点操作体(2)が愛玩動物の首輪等に設けられ、愛玩動物がスイッチ装置に接近することにより、可動接点(13)が回動し上記したようにスイッチ装置が接続または閉路状態になる。スイッチ装置が接続または閉路状態になることにより、扉部材(7)が所要の時間通過可能になる。
【発明の効果】
【００１９】
本発明は上記構成を備え、次の効果を有する。
（ａ）本発明によれば、常態でスイッチ装置の可動接点が、スイッチ開放位置で磁力による引き合う力又は斥け合う力の作用により固定接点から離れる方向に位置して固定状態にあるので、例えば、やや斜めに傾けた状態で設置した場合でも、従来のスイッチ装置のように可動接点と固定接点が近づいた状態にならない。つまり、スイッチ装置は、設置状態が悪い場合でも誤動作が起こり難く、信頼性が高い。
【００２０】
（ｂ） 可動接点が自重で回動できるべくＮ極およびＳ極側寄りに枢支部材に装着する装着部をそれぞれ有するものは、枢支部材を設ける装着部を変えることによって磁性部と引き合う磁極を入れ替えることができる。これによれば接点操作体の磁極も入れ替えることにより、スイッチ装置は二通りの動作方法を有する。つまり、一つのスイッチ装置で二つのスイッチ装置の機能を兼ねる。
【００２１】
（ｃ）本発明に係る愛玩動物用扉装置によれば、接点操作体を備える愛玩動物が近づけばスイッチ装置が作動して扉部材が通過可能な状態になる。しかし、接点操作体を備えない動物等が近づいてもスイッチ装置は作動せず、扉部材は閉塞されたままである。つまり、接点操作体を備える愛玩動物以外は、扉部材を通過できない。
【発明を実施するための最良の形態】
【００２２】
本発明の実施の形態を図面に基づき更に詳細に説明する。
図１は本発明に係るスイッチ装置の一実施の形態を示す説明図である。
スイッチ装置１は、非導電性材料で形成してある装架体であるケース１０を備えている。本実施の形態でケース１０は合成樹脂で形成したが、これは限定するものではなく、例えば、木材、竹材、陶磁器等で形成しても良い。また、ケース１０は非磁性を備えるものが好適である。
【００２３】
ケース１０は平面視略長方形状の底部１００を備えている。底部１００の三箇所の縁部からは側壁１０１（図２参照），側壁１０２，側壁１０３が立てて設けてある。こうしてケース１０は、上方と側方に開口部を有する略箱形状に形成してある。
【００２４】
対向する側壁１０１と側壁１０２の上部側には、固定接点１１と、枢支部材１２が架設してある。枢支部材１２には、可動接点１３（後述）が縦方向（上下方向）に回動可能に装着される。
【００２５】
固定接点１１は側方の開口部側に設けてある。枢支部材１２は開口部側と反対の側壁１０３側に設けてある。詳しくは枢支部材１２は、装着した可動接点１３が固定接点１１側に回動したときに、この可動接点１３の下端側が固定接点１１と接触できる位置に設けてある。固定接点１１と枢支部材１２は、略同じ高さとなる位置に架設してある。
【００２６】
固定接点１１と枢支部材１２は、共に所要径を有する通電可能な金属製の丸棒（ロッド）で形成してある。固定接点１１と枢支部材１２は、共に側壁１０１を貫通させて一端側をやや外方に突出させた状態で設けてある。
【００２７】
本実施の形態で固定接点１１は丸棒で形成したものを示したが、固定接点の形状は限定するものではなく、例えば、丸筒状、角棒状、角筒状、立方体状のものも好適に使用できる。枢支部材１２も可動接点１３が回動できれば良く、例えば、丸筒状が好適に使用できる。場合によっては角棒状や角筒状のものも使用できる。
【００２８】
本実施の形態で固定接点１１及び可動接点１３は、対向する側壁１０１と側壁１０２の間に架設して設けたが、これは限定するものではなく、例えば、架設されておらず、何れか一方の側壁（側壁１０１または側壁１０２）から突出した状態で設置しても良い。
【００２９】
ケース１０の側壁１０３には、枢支部材１２に軸支した可動接点１３の一部が当接して所定の状態（所定の傾斜角度）で停止できるようにする当接部１４が設けてある。
【００３０】
当接部１４や側壁１０３と対応する底部１００の裏面側には、磁性体１５が設けてある。本実施の形態で磁性体１５は、金属製のものであり磁石ではないものを使用した。具体的に磁性体１５は、可動接点１３の回動方向に延びる金属の線状体を使用した（図では確認できない）。しかし、これは限定するものではない。可動接点１３の動きに支障を及ぼさないのであれば磁石を使用しても良い。また、磁石の場合も材料は特に限定するものではなく、例えば、ゴムや合成樹脂製のものが使用できる。更には形状も特に限定するものではない。
【００３１】
枢支部材１２には可動接点１３が、縦方向（上下方向）に回動可能に装着してある。可動接点１３は縦長の直方体形状を有している。可動接点１３は全体が通電可能な金属磁石で形成してある。可動接点１３は対向する端側にＮ極とＳ極の磁極を有している。
【００３２】
可動接点１３の側面には、枢支部材１２の挿通孔となる装着部１３０と装着部１３１が形成してある。装着部１３０と装着部１３１は側面を貫通して形成している貫通孔により構成されている。しかし、装着部１３０と装着部１３１は貫通孔に限定するものではなく、貫通せずに構成しても良い。装着部１３０と装着部１３１は、何れか一方に枢支部材１２を通したときに可動接点が自重で回動できるべく、Ｎ極とＳ極側寄りに形成してある。つまり、装着部１３０と装着部１３１は、可動接点の重心以外の位置、偏心した位置にそれぞれ形成してある。
【００３３】
可動接点１３は、一方の装着部１３０に枢支部材１２を通して、他方の装着部１３１が下側に配置されるよう装着してある。本実施の形態で可動接点１３は、装着部１３０に枢支部材１２を通すことで、上端側にＳ極が下端側にＮ極が配置される（図１参照）。
【００３４】
可動接点１３は全体が通電可能な金属磁石で形成してあり、枢支部材１２は通電可能な金属製の丸棒で形成してあるので、可動接点１３と枢支部材１２は枢支部材１２に取り付けた状態で通電可能である。金属磁石は永久磁石である。
【００３５】
固定接点１１と枢支部材１２のうち側壁１０１から突出した部分には、それぞれ電線Ｃ１，Ｃ２（図２参照）が接続されている。
【００３６】
上記スイッチ装置１は接点操作体２が接近することにより作動する。接点操作体２は永久磁石を含んでいる。接点操作体２はスイッチ装置１の上方を移動して通過する。本実施の形態で接点操作体２は、上側がＮ極に下側がＳ極になるようにして配設してある（図１参照）。接点操作体２は、全部が磁石でも良いし、一部に磁石を備えるものでも良い。
【００３７】
（作  用）
図１を参照して本実施の形態で示すスイッチ装置１の作用を説明する。
常態でスイッチ装置１は、固定接点１１と可動接点１３が接触していない状態を維持している。詳しくは可動接点１３は、底部１００の当接部１４側に設けてある磁性体１５と協働して下端側の磁極が引き合い、当接部１４と当接しており固定接点１１から離れる方向で固定状態にある（図１の実線参照）。このときスイッチ装置１は開放または開路状態（ＯＦＦ状態）にある。
【００３８】
図１において接点操作体２が左側から右側に通過したときのスイッチ装置１の動きについて説明する。
まず、接点操作体２が(i)の位置から(ii)の位置まで移動した場合について説明する。
可動接点１３は常態で磁性体１５と引き合っているが、磁性体１５は磁石ではないので磁性体１５よりも引き合う力の強い接点操作体２がＳ極を下側にした状態で近づけば、可動接点１３は磁性体１５と引き合っていた固定状態が解放または解除されて、下側のＮ極の磁極が引き合うよう枢支部材１２を中心に固定接点１１側に回動する。
【００３９】
可動接点１３がこのように回動することにより、可動接点１３は表面が固定接点１１と接触する。可動接点１３と固定接点１１が接触することにより、スイッチ装置１は、固定接点１１と枢支部材１２に接続された電線Ｃ１，Ｃ２が電気的に繋がった接続または閉路状態（ＯＮ状態）となる。
【００４０】
次に、接点操作体２が(ii)の位置から(iii)の位置まで移動した場合について説明する。
可動接点１３は、装着部１３０に枢支部材１２を通して、装着部１３１が下側になるよう装着してあるので、接点操作体２が(ii)の位置から離れて磁力による引き合う力が弱まることにより、自重で落下し下方へ回動して固定接点１１と接触していた状態が解除される。そして、再び磁性体１５と引き合っていた状態に復帰する。
【００４１】
このようにスイッチ装置１によれば、常態で可動接点１３が磁性体１５と引き合っており、固定接点１１から離れる方向で固定状態にあるので、例えば、やや斜めに傾けた状態で設置した場合でも、従来のスイッチ装置のように可動接点１３と固定接点１１が近づいた状態にならない。つまり、スイッチ装置１は、設置状態が悪い場合でも誤動作が起こり難く、信頼性が高い。
【００４２】
本実施の形態で可動接点１３は磁性体１５と引き合う力により固定状態にあるようにしたが、ケース１０自体に磁性体１５と同等の作用を奏する磁性作用を持たせて固定状態にできるようにしても良い。
また、本実施の形態で可動接点１３は磁性体１５と引き合う力により固定状態にあるようにしたが、これは限定するものではなく、例えば、磁性体１５に磁石を含ませれば、磁力の斥け合う力の作用を利用することによって固定状態にすることもできる。
【００４３】
本実施の形態で接点操作体２は、上側がＮ極に下側がＳ極になるよう磁極の向きを設定したが、これは限定するものではない。例えば、装着部１３１に枢支部材１２を通して、磁極が上下逆になるように可動接点１３を取り付けたりして、接点操作体２の上側がＳ極に下側がＮ極になるようにしても良い。
【００４４】
本実施の形態で可動接点１３は全体が金属磁石で形成してあるものを例示したが、これは限定するものではなく、可動接点１３は少なくとも固定接点１１と接触する部分が通電可能であれば良い。また、可動接点１３は全体が磁石でなくても良く、接点操作体２が接近したときに回動できるよう一部に磁石を備えていれば良い。材料も、例えば、ゴムや合成樹脂製のものを使用することもできる。更には、固定接点についても少なくとも可動接点と接触する部分が通電可能であれば良い。
【００４５】
図２は本発明に係る愛玩動物用扉装置の一実施の形態を示す分解斜視説明図、
図３は図２に示す愛玩動物用扉装置の使用状態を示す断面説明図である。
符号Ｔは愛玩動物用扉装置を示している。愛玩動物用扉装置Ｔは、上記したスイッチ装置１、接点操作体２、仕切部材３、カバー部材４、壁埋設部材５、屋外側化粧材６、扉部材７、扉部材７を昇降させる昇降装置８、カバー部材４に取り付けられる屋内側スイッチ装置９を備えている。
【００４６】
スイッチ装置１は、仕切部材３の内部に取り付けてある。接点操作体２は、予め選択された特定の愛玩動物（本実施の形態においては、以下単に「ペットＰ」と記載する。）の首輪に内蔵してある。首輪は常時ペットＰに取り付けてある（図３参照）。本実施の形態において接点操作体２は、上側がＮ極に下側がＳ極になるようにして配設してある。
【００４７】
仕切部材３は、屋内側の壁面に沿って設けられる仕切本体部３０を備えている。仕切本体部３０は縦長形状を有している。仕切本体部３０は、外縁部に側壁３００が設けてあり、これにより内側に奥行きの浅い収容部３１が形成された形状を有している。
【００４８】
仕切本体部３０の下部側には通過部３２が形成してある。通過部３２は縦長の長方形状に開口している。通過部３２の下部側にあたる収容部３１には、電池Ｂを収容するための電池配置部３３が設けてある。
【００４９】
仕切本体部３０のうち屋内側の壁面に接して設けられる面には、所要の大きさを有するトンネル部３４が突出して設けてある。トンネル部３４は四角筒状を有している。トンネル部３４は通過部３２を取り囲むようにして設けてある。
【００５０】
トンネル部３４の底側は、上下方向に所要間隔をあけて二箇所に上部底板３４０と下部底板３４１を並設している。上部底板３４０と下部底板３４１の間は、スイッチ装置収容部３５である。
【００５１】
スイッチ装置収容部３５は屋外側となる先部が閉塞してある。スイッチ装置１は、スイッチ装置収容部３５内の先部側（屋外側）に、固定接点１１が屋外側を向くように固定してある。トンネル部３４の外面には、壁埋設部材５を取り付けたときに表面を略面一にするための段部３４２が、全面にわたり形成してある。
【００５２】
カバー部材４は、外縁部に側壁４０が設けてあり、この側壁４０は仕切部材３に外嵌めして取り付け可能な縦長形状に形成してある。カバー部材４の下部側には通過部４１が形成してある。通過部４１は縦長の長方形状に開口している。通過部４１は通過部３２と対応する位置に形成してある。
【００５３】
通過部４１の下部側には、電池配置部３３と対応して電池入れ部４２が形成してある。電池入れ部４２は横長の長方形状に開口している。電池入れ部４２には蓋体４３が取り付けられる。
【００５４】
通過部４１と電池入れ部４２の間には、屋内側スイッチ装置９を取り付ける取着穴４４，４４が形成してある。取着穴４４，４４は幅方向に所要間隔を設けて二箇所に形成してある。取着穴４４，４４の裏側の部分は、電池Ｂや昇降装置８と電気的に繋がっている。
【００５５】
壁埋設部材５は、トンネル部３４に外嵌めして取り付けられる。壁埋設部材５は縦長の短管長方形状を有している。
屋外側化粧材６は、壁埋設部材５の端部を覆って隠すよう屋外側に取り付けられる。屋外側化粧材６は枠形状を有している。
【００５６】
扉部材７は、板体７０と、板体７０の移動方向を案内する所要長さを有する一対のガイド部材７１，７１を備えている。板体７０は縦長の長方形状を有する。板体７０は通過部３２や通過部４１よりやや大きい。板体７０の上部の中央には、穴７００が形成してある。穴７００は、昇降装置８から垂れ下げてある吊り紐を取り付けるためのものである。各ガイド部材７１は断面Ｌ型状に形成してある。ガイド部材７１，７１を仕切部材３に取り付けることにより、間にガイド溝が形成される。
【００５７】
昇降装置８は、モーター８０と、モーター８０によって回転する回転軸８１と、回転軸８１を軸支する軸受体８２を備えている。回転軸８１には所要長さを有する紐８３の上端が取り付けてある。紐８３の下端は、扉部材７を構成する板体７０の穴７００に結びつけてある。
【００５８】
屋内側スイッチ装置９は、内部に収容部９００を有するケース本体９０と、ケース本体９０の上部に被せて取り付けられる踏み部材９１を備えている。
ケース本体９０の収容部９００には、マイクロスイッチ９０１が二箇所に設けてある。マイクロスイッチ９０１には昇降ボタン９０２が上方に突設してある。マイクロスイッチ９０１は昇降ボタン９０２がケース本体９０の上縁部より突出するよう設けてある。
収容部９００の両端側にあたる底部には、ボルト挿通孔９０３が形成してある。ボルト挿通孔９０３にはボルトＭが通される。
【００５９】
ケース本体９０の外部側壁には取着ピン９０４が側方に突設してある。取着ピン９０４は所要間隔をあけて二箇所に設けてある。取着ピン９０４，９０４は、カバー部材４の取着穴４４，４４に挿し込んで、屋内側スイッチ装置９を取り付けるものである。また、取着ピン９０４，９０４の表面には、少なくとも一方のマイクロスイッチ９０１の昇降ボタン９０２が押されたときに、取着ピン９０４間で電気的に繋がった状態にできる通電部（図示及び符号省略）が設けてある。
【００６０】
踏み部材９１の裏面の両端側には、筒状の取着部９１０がボルト挿通孔９０３に対応するよう下方に突出している。取着部９１０の内周部には、ボルトＭがねじ込み可能なネジ溝（符号省略）が形成してある。
【００６１】
屋内側スイッチ装置９は、取着部９１０の高さ（長さ）よりもやや長さの長いコイルバネ９２をこの取着部９１０の外周部に設けた状態で、踏み部材９１をケース本体９０の上部に被せ、コイルバネ９２を縮めてやや付勢力が作用したところで、下方からボルト挿通孔９０３を通してボルトＭを取着部９１０のネジ溝にねじ込んで組み立ててある。これによって通常状態では踏み部材９１が上方に付勢された状態になっている。
【００６２】
屋内側スイッチ装置９は、取着ピン９０４，９０４をカバー部材４に形成してある取着穴４４，４４に挿し込んでカバー部材４に取り付けられる。このとき取着ピン９０４，９０４と取着穴４４，４４の裏側部分はそれぞれ電気的に繋がった状態になる。
【００６３】
なお、各種電線類、モーターの動きを制御する通過制御手段である制御装置等は、公知技術のものを使用するので図示及び説明を省略している。本実施の形態で制御装置は、通電状態を検知することによりモーターに電気を供給して作動させ、所定時間経過後に通電状態を解除するタイマー機能を備えたものを使用している。
【００６４】
本実施の形態で示す仕切部材３、カバー部材４（通電可能な部分を除く）、壁埋設部材５、屋外側化粧材６、扉部材７、屋内側スイッチ装置９（マイクロスイッチ及び通電可能な部分を除く）は、合成樹脂で形成している。しかし、これは限定するものではなく、上記各部材は、例えば木材等で形成しても良い。
【００６５】
愛玩動物用扉装置Ｔは穴を形成した壁部Ｗ等に設置される。愛玩動物用扉装置Ｔは次の手順で壁部Ｗに設置される。
まず、壁埋設部材５をトンネル部３４の段部３４２に嵌める。壁部Ｗに形成した穴に壁埋設部材５を埋めるよう設ける。仕切部材３の裏面を屋内側の壁面に当接させて固定する。そして、屋外側化粧材６を屋外側から壁埋設部材５の端部に取り付ける。屋内側からは屋内側スイッチ装置９を取り付ける。屋内側スイッチ装置９は、取着ピン９０４，９０４をカバー部材４の取着穴４４，４４に挿し込んで取り付けられる。屋内側スイッチ装置９は、カバー部材４に着脱可能である。なお、壁部Ｗの厚みが薄い場合等、トンネル部分の長さがそれほど必要ない場合では、壁埋設部材５は設けなくても良い。その場合は、屋外側化粧材６がトンネル部３４に取り付けられる。
【００６６】
（作  用）
図１ないし図３を参照して、本実施の形態で示す愛玩動物用扉装置Ｔの作用を説明する。
まず、接点操作体２を備えるペットＰが、屋外側から壁埋設部材５内を通りスイッチ装置１に近づいた場合について説明する。
ペットＰが屋外側から近づくと、スイッチ装置１の可動接点１３が、磁性体１５と引き合っていた状態から作動する。可動接点１３は、上記したように下側のＮ極の磁極が接点操作体２の下側のＳ極と引き合うよう枢支部材１２を中心に固定接点１１側に回動する。こうして可動接点１３と固定接点１１が接触し、スイッチ装置１は可動接点１３と固定接点１１が電気的に繋がった接続または閉路状態（ＯＮ状態）となる。
【００６７】
可動接点１３と固定接点１１が電気的に繋がると、制御装置によって電池Ｂからモーター８０等に電気が供給される。これにより回転軸８１が回転して紐８３が巻き上げられる。紐８３が巻き上げられることにより通過部３２を閉塞していた板体７０がガイド部材７１に沿って引き上げられ、通過部３２が通過可能な状態になる。
【００６８】
制御装置は、通電状態を所定時間経過後に解除するタイマー機能を備えたものを使用しているので、通過部３２は所定時間通過可能な状態が維持される。従って、ペットＰはこの間に通過部３２を通過して屋内側に入る。なお、本実施の形態では電池Ｂから電気が供給されるようにしたがこれは限定するものではなく、例えば、電源コードを備えてコンセントから供給されるようにしても良い。
【００６９】
通過部３２の通過可能な状態が所定時間（例えば５秒程度）が経過すると、制御装置によって通電状態が解除され、板体７０は自重により降下する。板体７０はゆっくりと降下するよう設定してある。こうして通過部３２は再び閉塞された状態になる。
【００７０】
次に、ペットＰが屋内側から愛玩動物用扉装置Ｔに近づいた場合について説明する。
ペットＰが屋内側から近づいて屋内側スイッチ装置９上に載ると、屋内側スイッチ装置９を構成する踏み部材９１がペットＰの体重でやや下がる。踏み部材９１が下がることによりマイクロスイッチ９０１の昇降ボタン９０２が踏み部材９１の裏面で押される。
【００７１】
昇降ボタン９０２が押されることにより、制御装置によって電池Ｂからモーター８０等に電気が供給される。これにより板体７０が引き上げられて通過部３２が通過可能な状態となる。この場合も通過部３２は所定時間通過可能な状態が維持される。従って、ペットＰはこの間に屋内側から通過部３２を通過して屋外側へ移動する。
【００７２】
つまり、接点操作体２を備えるペットＰは、愛玩動物用扉装置Ｔを通過して屋内外を自由に出入りできる。なお、踏み部材９１は、下がることでコイルバネ９２が縮まっており付勢力が作用しているので、ペットＰが載った状態が解除されれば上昇して元の状態に復帰する。また。マイクロスイッチ９０１の昇降ボタン９０２も同じように押された状態から元の状態に復帰する。
【００７３】
愛玩動物用扉装置Ｔによれば、ペットＰでない動物が屋外側から扉部材７に近づいても、板体７０は常態で閉塞されており、また、接点操作体２も備えていないのでスイッチ装置１は作動しない。従って、ペットＰでない動物は、扉部材７を通過できず屋内に入ることはできない。
【００７４】
これに対して屋内側から屋外側へは、踏み部材９１を下げてマイクロスイッチ９０１の昇降ボタン９０２を押せば、板体７０が引き上げられて通過部３２が通過可能になるので、ペットＰでなくても通過できる。
【００７５】
ところで愛玩動物用扉装置Ｔが普及すれば、例えば、近所の家にも同じ愛玩動物用扉装置Ｔが取り付けてあり、他人のペットにも接点操作体２が設けてあるといった事態が生じ、更に、接点操作体２と可動接点１３の磁極の向きも同じに設定されているといった状況が起こり得る。この場合では、他人のペットまで自分の愛玩動物用扉装置Ｔを通過して屋内に侵入可能である。
【００７６】
愛玩動物用扉装置Ｔでは、可動接点１３に装着部１３０と装着部１３１が設けてあるので、装着部１３０に枢支部材１２が通してある場合では、さしかえて枢支部材１２を装着部１３１に通し、磁極が上下逆になるように可動接点１３を取り付け、更に、接点操作体２の磁極も上側がＳ極に下側がＮ極になるように入れ替えれば、自分のペットＰは通過でき、他人のペットは通過できないようにできる。
【００７７】
なお、本実施の形態で愛玩動物用扉装置Ｔは、屋内側スイッチ装置９内にマイクロスイッチ９０１を設けて、屋内側から屋外側へはペットＰでなくても通過することができるようにしたが、これは限定するものではない。例えば、屋内側スイッチ装置９内にもスイッチ装置１を設けるようにすれば、屋内側から屋外側へも接点操作体２を備えたペットＰしか通過できないようにできる（図４参照）。
【００７８】
図４は愛玩動物用扉装置の他の実施の形態を示す断面説明図である。
図４で示す屋内側スイッチ装置９内には、スイッチ装置１が設けてある。スイッチ装置１は、固定接点１１が屋内側を向くように固定してある。
【００７９】
例えば自分のペットＰが２匹いるような場合では、接点操作体２の磁極の向きをそれぞれのペットＰで変えておくか、屋外に出したくないペットＰには接点操作体２を取り付けないようにすることにより、一方のペットＰは屋内側からも屋外側からも通過部３２が通過できるが、他方のペットＰは何れの側からも通過できないようにできる。
【００８０】
本実施の形態で愛玩動物用扉装置Ｔは、屋内側と屋外側を仕切る壁部Ｗに取り付けたものを例に挙げて説明したが、これは限定するものではなく、例えば、愛玩動物用扉装置は、屋内側の他の部屋とを間仕切る壁部に設けても良い。
【００８１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００８２】
【図１】本発明に係るスイッチ装置の一実施の形態を示す説明図。
【図２】本発明に係る愛玩動物用扉装置の一実施の形態を示す分解斜視説明図。
【図３】図２に示す愛玩動物用扉装置の使用状態を示す断面説明図。
【図４】愛玩動物用扉装置の他の実施の形態を示す断面説明図。
【図５】従来のスイッチ装置を示す説明図。
【符号の説明】
【００８３】
Ｔ  愛玩動物用扉装置
Ｂ  電池
Ｃ１，Ｃ２  電線
Ｍ  ボルト
Ｐ  ペット
Ｗ  壁部
１  スイッチ装置
１０  ケース
１００  底部
１０１  側壁
１０２  側壁
１０３  側壁
１１  固定接点
１２  枢支部材
１３  可動接点
１３０  装着部
１３１  装着部
１４  当接部
１５  磁性体
２  接点操作体
３  仕切部材
３０  仕切本体部
３００  側壁
３１  収容部
３２  通過部
３３  電池配置部
３４  トンネル部
３４０  上部底板
３４１  下部底板
３４２  段部
３５  スイッチ装置収容部
４  カバー部材
４０  側壁
４１  通過部
４２  電池入れ部
４３  蓋体
４４  取着穴
５  壁埋設部材
６  屋外側化粧材
７  扉部材
７０  板体
７００  穴
７１  ガイド部材
８  昇降装置
８０  モーター
８１  回転軸
８２  軸受体
８３  紐
９  屋内側スイッチ装置
９０  ケース本体
９００  収容部
９０１  マイクロスイッチ
９０２  昇降ボタン
９０３  ボルト挿通孔
９０４  取着ピン
９１  踏み部材
９１０  取着部
９２  コイルバネ
【図１】
0004690911.tif 000002
【図２】
0004690911.tif 000003
【図３】
0004690911.tif 000004
【図４】
0004690911.tif 000005
【図５】
0004690911.tif 000006